(57)【要約】【課題】ケースサイズの異なる複数種類の時計を低コストで構成でき、かつ、ムーブメントの配置位置精度を向上できる時計を提供すること。【解決手段】時計１は、突出部１１１を有する外装ケース２と、裏蓋４と、文字板受けリング７０と、文字板１５と、ダイヤルリング１６と、文字板受けリング７０の外周側に配置される中枠７５とを備える。中枠７５は、外装ケース２の内周面に当接する中枠側当接部７６２と、突出部１１１に当接する表面側当接部７６１と、時計の厚さ方向に弾性変形可能に形成されて裏蓋４に当接する中枠バネ部と、中枠７５の内周面から突出する支持部７９とを備える。文字板受けリング７０は、中枠７５の内周面に当接するリング側当接部７４と、文字板１５の裏面に当接するリング表面側当接部７１２と、時計１の厚さ方向に弾性変形可能に形成されて中枠７５の支持部７９に当接するリングバネ部７２とを備える。【選択図】図２
2016114553.tif 000002
【特許請求の範囲】
【請求項１】
ムーブメントを収納し、かつ、内周面に突出する突出部を有するケースと、
前記ケースに取り付けられる裏蓋と、
前記ムーブメントに取り付けられた文字板受けリングと、
前記文字板受けリングの表面側に配置される文字板と、
前記文字板の表面に当接して位置を規制する規制部と、
前記文字板受けリングの外周側に配置される中枠と、を備えた時計であって、
前記中枠は、
前記ケースの内周面に当接して平面方向の位置決めを行う中枠側当接部と、
前記ケースの突出部に当接して前記中枠の時計表面方向の位置決めを行う表面側当接部と、
前記時計の厚さ方向に弾性変形可能に形成されて前記裏蓋に当接する中枠バネ部と、
前記中枠の内周面から突出する支持部とを備え、
前記文字板受けリングは、
前記中枠の内周面に当接して平面方向の位置決めを行うリング側当接部と、
前記文字板の裏面に当接するリング表面側当接部と、
前記時計の厚さ方向に弾性変形可能に形成されて前記中枠の支持部に当接するリングバネ部とを備える
ことを特徴とする時計。
【請求項２】
請求項１に記載の時計において、
前記リングバネ部は、前記文字板受けリングの周方向に沿って複数設けられている
ことを特徴とする時計。
【請求項３】
請求項１または請求項２に記載の時計において、
前記リングバネ部は、２本の柱部と、前記柱部間に掛け渡された梁部とを備え、
前記柱部の内周面には、前記ムーブメントを保持するフック部が形成され、
前記梁部の底面には、前記中枠の支持部に当接する押し上げ用突起が形成されている
ことを特徴とする時計。
【請求項４】
請求項１から請求項３のいずれか一項に記載の時計において、
前記中枠バネ部は、前記中枠の周方向に沿って複数設けられている
ことを特徴とする時計。
【請求項５】
請求項１から請求項４のいずれか一項に記載の時計において、
前記中枠バネ部は、２本の柱部と、前記柱部間に掛け渡された梁部とを備え、
前記梁部の底面には、前記裏蓋に当接する押し上げ用突起が形成されている
ことを特徴とする時計。
【発明の詳細な説明】
【技術分野】
【０００１】
本発明は、時計に関する。
【背景技術】
【０００２】
腕時計では、コストの削減と、デザインのバリエーション増加を両立するため、基本となる共通のムーブメントを、中枠を用いて様々なサイズ、デザインの時計ケース内に組み込むことで、大きさやデザインの異なる複数種類の時計を構成することが考えられている（例えば、特許文献１参照）。
【０００３】
前記特許文献１では、中枠（支持部材）の平面方向の位置決めは、中枠の外周面の複数箇所に形成された凸部を外装ケースの内周面に当接することで行われている。
一方、中枠の時計の厚さ方向（高さ方向）の位置決めは、中枠で支持される受リング（文字板受け部材）を介して文字板の周縁部の表面を外装ケースに押しつけることで行われている。すなわち、外装ケースおよび裏蓋間には、時計表面側から、文字板、受リング、中枠が順次配置され、裏蓋の押し上げ突起で中枠を時計表面側に押しつけることで位置決めがなされている。
【先行技術文献】
【特許文献】
【０００４】
【特許文献１】特開２００１−１３２６８号公報
【発明の概要】
【発明が解決しようとする課題】
【０００５】
このような特許文献１では、中枠の表面は直接ケースに当接しておらず、押し上げられた中枠の高さ方向の位置決めは、受リングを介して文字板がケースに当接することで行われている。このため、文字板、受リング、中枠の寸法精度に誤差があると、中枠や受リングの高さ方向の位置は、前記誤差の累積値に影響される。したがって、受リングに保持されるムーブメントの高さ位置にばらつきが生じるおそれがある。
【０００６】
本発明の目的は、ケースサイズの異なる複数種類の時計を低コストで構成でき、かつ、ムーブメントの配置位置精度を向上できる時計を提供することにある。
【課題を解決するための手段】
【０００７】
本発明の時計は、ムーブメントを収納し、かつ、内周面に突出する突出部を有するケースと、前記ケースに取り付けられる裏蓋と、前記ムーブメントに取り付けられた文字板受けリングと、前記文字板受けリングの表面側に配置される文字板と、前記文字板の表面に当接して位置を規制する規制部と、前記文字板受けリングの外周側に配置される中枠と、を備えた時計であって、前記中枠は、前記ケースの内周面に当接して平面方向の位置決めを行う中枠側当接部と、前記ケースの突出部に当接して前記中枠の時計表面方向の位置決めを行う表面側当接部と、前記時計の厚さ方向に弾性変形可能に形成されて前記裏蓋に当接する中枠バネ部と、前記中枠の内周面から突出する支持部とを備え、前記文字板受けリングは、前記中枠の内周面に当接して平面方向の位置決めを行うリング側当接部と、前記文字板の裏面に当接するリング表面側当接部と、前記時計の厚さ方向に弾性変形可能に形成されて前記中枠の支持部に当接するリングバネ部とを備えることを特徴とする。
【０００８】
本発明では、ケース内に文字板、ムーブメント、文字板受けリング、中枠を収納し、裏蓋を取り付けることで時計を組み立てる。この際、中枠の中枠バネ部に裏蓋が当接し、中枠バネ部が弾性変形することで、中枠は時計表面側に押し上げられ、中枠の表面側当接部がケースの突出部に当接する。すなわち、中枠は、ケースおよび裏蓋間に挟まれ、かつ、中枠バネ部の弾性変形によるばね力で時計表面側に押しつけられる。このため、中枠の高さ位置は、中枠の表面側当接部がケースの突出部に当接する位置に精度よく設定される。
また、ケースに直接当接されて高さ方向に位置決めされた中枠に、リングバネ部が当接し、リングバネ部が弾性変形することで、文字板受けリングは時計表面側に押し上げられ、リング表面側当接部が文字板の裏面に当接する。すなわち、文字板受けリングは、文字板および中枠間に挟まれ、かつ、リングバネ部の弾性変形によるばね力で時計表面側に押しつけられる。ここで、文字板は、その表面が規制部、例えばケースの胴やベゼル、あるいはダイヤルリングに当接することで、高さ方向の位置がケースを基準に精度良く設定されている。したがって、文字板受けリングの高さ位置も、リング表面側当接部が文字板に当接する位置に精度よく設定される。これにより、文字板受けリングに保持されるムーブメントの高さ位置も精度よく設定できる。
さらに、ムーブメントの平面位置は、文字板受けリングのリング側当接部が中枠の内周面に当接し、中枠の中枠側当接部がケースの内周面に当接することで設定されるので、精度よく設定できる。
したがって、ムーブメントの高さ方向（時計厚さ方向）と平面方向の配置位置精度を向上できる。さらに、ケースサイズが変更された場合には、中枠側当接部の突出寸法が異なる中枠に変更すれば、文字板受けリングや、ムーブメントは共通のものが利用できる。したがって、ケースサイズの異なる複数種類の時計を構成する際に、ムーブメントや文字板受けリングなどを共通化できて部品種類を削減でき、低コストで構成できる。
【０００９】
本発明の時計において、前記リングバネ部は、前記文字板受けリングの周方向に沿って複数設けられていることが好ましい。
リングバネ部が複数設けられていれば、文字板受けリング全体を安定して文字板側に付勢することができる。
【００１０】
本発明の時計において、前記リングバネ部は、２本の柱部と、前記柱部間に掛け渡された梁部とを備え、前記柱部の内周面には、前記ムーブメントを保持するフック部が形成され、前記梁部の底面には、前記中枠の支持部に当接する押し上げ用突起が形成されていることが好ましい。
リングバネ部の主要構造を、２本の柱部と、柱部間に掛け渡された梁部とで構成すれば、例えば、梁部を片持ち支持する場合に比べてバネ力を大きくできる。また、梁部の底面に押し上げ用突起が形成されていれば、梁部の撓み量を大きくでき、リングバネ部をシンプルな形状で構成できて、バネ力も大きくできる。
さらに、柱部にフック部が形成されていれば、ムーブメントを押し込む際に柱部が撓んで容易に取り付けることができる。
【００１１】
本発明の時計において、前記中枠バネ部は、前記中枠の周方向に沿って複数設けられていることが好ましい。
中枠バネ部が複数設けられていれば、中枠全体を安定してケースの突出部側に付勢することができる。
【００１２】
本発明の時計において、前記中枠バネ部は、２本の柱部と、前記柱部間に掛け渡された梁部とを備え、前記梁部の底面には、前記裏蓋に当接する押し上げ用突起が形成されていることが好ましい。
中枠バネ部の主要構造を、２本の柱部と、柱部間に掛け渡された梁部とで構成すれば、例えば、梁部を片持ち支持する場合に比べてバネ力を大きくできる。また、梁部の底面に押し上げ用突起が形成されていれば、梁部の撓み量を大きくでき、中枠バネ部をシンプルな形状で構成できて、バネ力も大きくできる。
【図面の簡単な説明】
【００１３】
【図１】本発明の実施形態の時計を示す正面図。
【図２】図１のII−II線に沿った概略断面図。
【図３】前記時計の要部の分解斜視図。
【図４】前記時計の文字板受けリングおよび中枠を示す分解斜視図。
【図５】前記時計の文字板受けリングおよび中枠を示す分解斜視図。
【図６】前記時計の要部を示す拡大断面図。
【発明を実施するための形態】
【００１４】
以下、本発明の実施形態に係る時計（腕時計）１を図１〜５に基づいて説明する。なお、図２は図１のII−II線に沿った断面図であり、左半分は時計の６時位置から指針軸までの断面であり、右半分は指針軸から３時位置までの断面である。また、各部品において、時計１の表面（カバーガラス５側）の面を表面または上面、裏蓋４側の面を裏面または底面、下面と表現することがある。
【００１５】
時計１は、後述するムーブメント等を収容する外装ケース２を備える。外装ケース２は、ケース本体３と、裏蓋４とを備える。ケース本体３は、円筒状の胴１１と、胴１１の表面側に設けられたベゼル１２とを備える。
【００１６】
胴１１には、リューズ３０が設けられている。また、胴１１の内周面には、図２、図３に示すように、内周面の周方向に沿って連続する略円環状の突出部１１１が形成されている。
ベゼル１２は、リング状に形成されている。そして、ベゼル１２と胴１１とは、互いの対向面に形成された凹凸による嵌め合わせ構造あるいは両面粘着テープや接着剤等の手段により接続されている。なお、ベゼル１２は、胴１１に対して回転可能に取り付けられていてもよい。
ベゼル１２の内側には、ベゼル１２によって保持されたカバーガラス５が取り付けられている。さらに、ベゼル１２の内周面には、内周面の周方向に沿って連続する略円環状の突出部１２１が形成されている。
【００１７】
ケース本体３の裏面側には、ケース本体３の裏面側の開口を塞ぐ円板状の裏蓋４が設けられている。裏蓋４は、ケース本体３の胴１１にねじ込まれて取り付けられている。
胴１１、ベゼル１２、裏蓋４には、ＢＳ（真鍮）、ＳＵＳ（ステンレス鋼）、チタン合金などの金属材料が利用される。
【００１８】
［時計の内部構造］
次に、時計１の外装ケース２に内蔵される内部構造について説明する。
図２、図３に示すように、外装ケース２内には、ムーブメント６と、文字板１５と、前記文字板１５の外周縁に沿って配置されたダイヤルリング１６と、文字板受けリング７０と、中枠７５とが収納されている。
ムーブメント６は、前記文字板受けリング７０の内周に取り付けられている。また、文字板１５は文字板受けリング７０の表面に当接され、ムーブメント６の時計表面側（カバーガラス５側）に取り付けられている。
【００１９】
［ムーブメント］
ムーブメント６は、従来から時計に用いられているものが利用できる。本実施形態では、回転錘６８の回転によって発電する発電機と、この発電機の発電電力を充電する二次電池と、二次電池の電力で駆動されるモーターとを備えたムーブメントである。
なお、ムーブメント６としては、ボタン型の一次電池でステップモーターを駆動する一般的なクオーツ時計用のムーブメントでもよいし、ゼンマイを駆動源として発電する発電機と、この発電機の発電電力を充電する二次電池と、二次電池の電力で駆動されるモーターとを備えたムーブメントでもよい。さらに、ムーブメント６としては、ゼンマイの駆動力で輪列を回転し、調速機構で調速する機械式時計用のムーブメントでもよい。
【００２０】
本実施形態のムーブメント６は、ステップモーターおよび輪列を介して、図１に示す時針６１、分針６２、秒針６３を駆動する。さらに、ムーブメント６は、ステップモーターおよび輪列を介して日車６５を駆動する。なお、日車６５の表面側には日車押さえ６６が配置されている。なお、各指針や日車のレイアウトや数、種類などは図１に示すものに限定されない。
また、ムーブメント６には巻真３１が配置され、巻真３１の端部にはリューズ３０が取り付けられている。
【００２１】
［文字板受けリング］
文字板受けリング７０は、ポリアセタール樹脂等の合成樹脂で形成され、図４、図５に示すように、円環状に形成された上面部７１と、上面部７１から中枠７５側に延長されたリングバネ部７２と、上面部７１から中枠７５側に延長されて前記リングバネ部７２間に配置された側壁部７３とを備えている。
上面部７１には、３つの凹部７１１が形成され、各凹部７１１間には表面側つまり文字板１５側に突出するリング表面側当接部７１２が形成されている。
凹部７１１は文字板１５をムーブメント６の地板から外す際に用いられる文字板外し溝である。リング表面側当接部７１２は、文字板１５の裏面に当接し、文字板１５を受ける部分である。
【００２２】
リングバネ部７２は、上面部７１の円周方向に４つ形成されている。このうち、２つのリングバネ部７２Ａ、７２Ｂは、２つの凹部７１１と同じ位置に形成されている。リングバネ部７２Ａは、平面位置が文字板１５の約２時位置に形成され、リングバネ部７２Ｂは、平面位置が文字板１５の約７時位置に形成されている。
また、他の２つのリングバネ部７２Ｃ、７２Ｄのうち、リングバネ部７２Ｄは、平面位置が文字板１５の１２時位置に形成され、リングバネ部７２Ｃは、上面部７１の円周方向の位置がリングバネ部７２Ｂとリングバネ部７２Ｄとの中間位置（文字板１５の約９時位置）に形成されている。
【００２３】
各リングバネ部７２（７２Ａ〜７２Ｄ）は、上面部７１から連続する２本の柱部７２１と、これらの柱部７２１間に掛け渡された梁部７２２とを備えて構成されている。梁部７２２の中間位置の底面には押し上げ用突起７２３が形成されている。そして、梁部７２２の表面側は空間とされているので、前記押し上げ用突起７２３に上面部７１に向かう力が加わると、梁部７２２は上面部７１側に撓み、そのばね力で文字板受けリング７０を文字板１５側に付勢する。
柱部７２１の内周面には、ムーブメント６を保持するためのフック部７２４が形成されている。
【００２４】
リングバネ部７２および側壁部７３の底面（下面）には、後述する中枠７５の支持部７９に当接して文字板受けリング７０の高さ方向の「がたつき」を防止するガタ防止突起７２５、７３５が形成されている。
リングバネ部７２に設けられるガタ防止突起７２５は、梁部７２２の下面において２つ形成され、その間に押し上げ用突起７２３が形成されている。
側壁部７３に設けられるガタ防止突起７３５は、側壁部７３の下面における円周方向のほぼ中間位置に形成されている。
【００２５】
文字板受けリング７０の外周面には、中枠７５の内周面に当接して平面方向の位置決めを行うリング側当接部７４が形成されている。リング側当接部７４は、リングバネ部７２および側壁部７３の外周面における下端部から突出して形成されている。
なお、本実施形態では、リング側当接部７４の外周面において、ガタ防止突起７２５、７３５に対応する位置には、中枠７５に対する文字板受けリング７０の平面方向のがたつきを防止するガタ防止突起７４１が形成されている。
【００２６】
［中枠］
中枠７５は、文字板受けリング７０と同様に、ポリアセタール樹脂等の合成樹脂で形成され、図４，５に示すように、円環状に形成された本体部７６と、本体部７６の内周縁から裏蓋４側に延長された中枠バネ部７７と、本体部７６から裏蓋４側に延長されて前記中枠バネ部７７間に配置された側壁部７８とを備えている。
本体部７６の上面は、前記胴１１の突出部１１１に当接する表面側当接部７６１として機能する。また、本体部７６の外周面は、前記胴１１の内周面に当接して平面方向の位置決めを行う中枠側当接部７６２として機能する。
【００２７】
中枠バネ部７７は、本体部７６の円周方向に４つ形成されている。４つの中枠バネ部７７は、本体部７６の円周方向の位置が、文字板１５の１２時、３時、６時、９時のそれぞれ中間位置に形成されている。
各中枠バネ部７７は、本体部７６から連続する２本の柱部７７１と、これらの柱部７７１間に掛け渡された梁部７７２とを備えて構成されている。
梁部７７２の底面には、押し上げ用突起７７３が形成されている。押し上げ用突起７７３は、梁部７７２の中間位置に形成されている。そして、梁部７７２の表面側は空間とされているので、前記押し上げ用突起７７３が裏蓋４に当接して本体部７６に向かう方向の力が加わると、梁部７７２は本体部７６側に撓み、そのばね力で中枠７５を文字板受けリング７０側に付勢する。
側壁部７８の底面には、裏蓋４に当接して中枠７５の時計厚さ方向の「がたつき」を防止するガタ防止突起７８５が形成されている。
【００２８】
中枠７５の内周面には、支持部７９が突出されている。支持部７９は、中枠バネ部７７および側壁部７８の内周面に沿って連続して形成されたリング状の突出部である。この支持部７９の上面には、前記文字板受けリング７０が載置される。
【００２９】
［文字板］
文字板１５は、ステンレスなどの金属材やプラスチックなどの板材で形成されており、底面から突設された足をムーブメント６の地板に圧入することでムーブメント６の表面側に取り付けられる。この際、文字板１５の裏面が前記文字板受けリング７０に当接することで、ムーブメント６に対する文字板１５の高さ位置が規定される。これにより、文字板１５およびムーブメント６の地板間に所定の空間が形成され、この空間に日車６５や日車押さえ６６が配置される。
文字板１５の外周縁には、ダイヤルリング１６が配置される。ダイヤルリング１６の上面はベゼル１２の突出部１２１の下面に当接している。このため、本実施形態では、ダイヤルリング１６によって、文字板１５の表面に当接して文字板１５の高さ方向の位置を規制する規制部が構成されている。
【００３０】
［中枠の平面方向の位置決め構造］
このような構成の時計１においては、ケース本体３内に、ダイヤルリング１６、文字板１５、文字板受けリング７０、中枠７５、ムーブメント６を配置する。この際、図６にも示すように、中枠７５の中枠側当接部７６２は、胴１１の内周面に当接する。これにより、中枠７５は平面方向に位置決めされる。
【００３１】
［中枠の高さ方向の位置決め構造］
裏蓋４を胴１１にねじ込むと、中枠７５は本体部７６の表面側当接部７６１が胴１１の突出部１１１の下面に当接し、中枠バネ部７７の梁部７７２の押し上げ用突起７７３が裏蓋４で押されて梁部７７２が撓む。この梁部７７２の撓み量は、図６における寸法Ｈ１である。
そして、梁部７７２が撓むことによりバネ力が発生し、そのバネ力の反力で中枠７５は時計１の表面側に付勢され、表面側当接部７６１が突出部１１１に当接する位置で位置決めされる。すなわち、中枠７５は、胴１１の突出部１１１および裏蓋４間で挟持される。
これにより、中枠７５はケース本体３に対して高さ方向（時計厚さ方向）に位置決めされ、中枠７５の支持部７９もケース本体３に対して高さ方向（時計厚さ方向）に位置決めされる。
【００３２】
［文字板受けリングおよびムーブメントの平面方向の位置決め構造］
文字板受けリング７０のリング側当接部７４は、中枠７５の内周面に当接する。これにより、文字板受けリング７０は、平面方向に位置決めされる。したがって、外装ケース２の胴１１の内周面を基準に、中枠７５および文字板受けリング７０が位置決めされ、文字板受けリング７０で支持されるムーブメント６も、平面方向に位置決めされる。
【００３３】
［文字板受けリングおよびムーブメントの高さ方向の位置決め構造］
文字板受けリング７０のリング表面側当接部７１２は、文字板１５に当接する。文字板１５はダイヤルリング１６がベゼル１２の突出部１２１に当接することで、ケース本体３に対して高さ方向に位置決めされている。
さらに、文字板受けリング７０の梁部７２２の押し上げ用突起７２３が、中枠７５の支持部７９で押されて梁部７２２が撓む。梁部７２２が撓むことによりバネ力が発生し、そのバネ力の反力で文字板受けリング７０は時計１の表面側に付勢され、リング表面側当接部７１２が文字板１５に当接する位置で位置決めされる。すなわち、文字板受けリング７０は、文字板１５および中枠７５の支持部７９間で挟持される。
これにより、文字板受けリング７０はケース本体３に対して高さ方向（時計厚さ方向）に位置決めされ、文字板受けリング７０で支持されるムーブメント６もケース本体３に対して高さ方向（時計厚さ方向）に位置決めされる。
【００３４】
［本実施形態の作用効果］
中枠７５をケース本体３に対して高さ方向および平面方向に位置決めでき、この中枠７５を基準に文字板受けリング７０を高さ方向および平面方向に位置決めできるので、文字板受けリング７０に支持されるムーブメント６を、ケース本体３に対して高さ方向および平面方向に精度よく位置決めすることができる。
また、時計１の外装ケース２のサイズが変更された場合は、中枠側当接部７６２の突出寸法が異なる中枠７５に変更すれば、文字板受けリング７０やムーブメント６は共通のものが利用できる。したがって、ケースサイズの異なる複数種類の時計１を構成する際に、ムーブメント６や文字板受けリング７０などを共通化できて部品種類を削減でき、低コストで構成できる。
【００３５】
文字板受けリング７０と中枠７５とを比較すると、文字板受けリング７０は、ムーブメント６との係合用のフック部７２４や、リングバネ部７２、文字板１５を外すための凹部７１１等が形成されるため、中枠７５に比べて複雑な形状となる。この形状が複雑な文字板受けリング７０を共通部品化し、文字板受けリング７０に比べて形状が簡単であり製造コストも低くできる中枠７５をサイズ毎に用意するため、文字板受けリング７０をサイズ毎に製造する場合に比べて製造コストを低減できる。
【００３６】
文字板受けリング７０は、リングバネ部７２が複数、具体的には４つ設けられているので、文字板受けリング７０は傾くことなく安定して文字板１５側に付勢できる。
同様に、中枠７５は、中枠バネ部７７が複数、具体的に４つ設けられているので、中枠７５も傾くことなく安定して突出部１１１側に付勢できる。
【００３７】
リングバネ部７２や中枠バネ部７７は、柱部７２１、７７１と、梁部７２２、７７２とを備えて構成しているので、シンプルな形状で、かつバネ力を大きくできる。
さらに、梁部７２２、７７２の底面に、押し上げ用突起７２３、７７３を形成したので、梁部７２２、７７２の撓み量を大きくできる。
【００３８】
さらに、リングバネ部７２の柱部７２１にフック部７２４を形成し、このフック部７２４でムーブメント６を保持しているので、ムーブメント６を容易に取り付けることができる。
【００３９】
なお、本発明は前記実施形態に限定されず、本発明の要旨の範囲内で種々の変形実施が可能である。
例えば、リングバネ部７２や中枠バネ部７７の数は前記実施形態に限定されない。特に、３つ以上設けられていれば、リングバネ部７２や中枠バネ部７７を安定して付勢できる点で好ましい。
さらに、リングバネ部７２や中枠バネ部７７の構成は前記実施形態に限定されず、裏蓋４や支持部７９に当接した際に撓んでバネ力を発生できるものであればよい。
【００４０】
文字板１５の高さ方向の位置を規制する規制部は、ダイヤルリング１６に限らない。例えば、文字板１５を直接、ベゼル１２や胴１１に当接させた場合には、その当接部が規制部となる。
【符号の説明】
【００４１】
１…時計、２…外装ケース、３…ケース本体、４…裏蓋、６…ムーブメント、１１…胴、１２…ベゼル、１５…文字板、１６…ダイヤルリング、３０…リューズ、７０…文字板受けリング、７１…上面部、７１２…リング表面側当接部、７２…リングバネ部、７２１…柱部、７２２…梁部、７２３…押し上げ用突起、７２４…フック部、７３…側壁部、７４…リング側当接部、７６…本体部、７６１…表面側当接部、７６２…中枠側当接部、７７…中枠バネ部、７７１…柱部、７７２…梁部、７７３…押し上げ用突起、７８…側壁部、７９…支持部。
【図１】
2016114553.tif 000003
【図２】
2016114553.tif 000004
【図３】
2016114553.tif 000005
【図４】
2016114553.tif 000006
【図５】
2016114553.tif 000007
【図６】
2016114553.tif 000008